(57)【特許請求の範囲】
【請求項１】
第１方向と、これに直交する第２方向とを有するゴルフスウィング矯正練習具であって、
前記第１方向へ長い枠体と、前記第１方向へ直線的に延びる目標ラインを形成する一対の第１及び第２帯状部材とを備え、
前記枠体は、前記第１方向へ互いに平行に離間しその離間が調整可能に配置される一対の第１及び第２間隔規制部材と、前記第２方向へ互いに平行に離間して配置され、前記第１及び第２間隔規制部材を支持し、前記第１及び第２間隔規制部材の間隔を調整する機構を有する一対の第１及び第２支持部材とを含み、
前記第１及び第２支持部材は、基板と、前記第２方向における前記基板の両端部において上方へ突出し前記基板に沿って摺動かつ抜脱可能に嵌合するブラケットとから構成され、前記ブラケットの内側には、前記第１方向における前記第１及び第２支持部材の両端部に対する連結部を有し、
前記第１及び第２帯状部材は、前記第２方向における前記基板の中央部に連結部を介して前記基板に離脱可能に連結され、前記基板の前記中央部から該基板の外側かつ前記第１方向へ直線的に延びることを特徴とする前記練習具。
【請求項２】
前記第１及び第２間隔規制部材は、硬質芯材と、これを被覆する弾性緩衝材とから構成されている請求項１記載の練習具。
【請求項３】
前記第１及び第２間隔規制部材それぞれは、それらの断面が円形である請求項１又は２に記載の練習具。
【請求項４】
前記連結部は突起であり、一方、前記第１方向における前記第１及び第２間隔規制部材の少なくとも両端に中空部を有し該中空部が前記連結部に抜脱可能に嵌合する請求項１〜３のいずれかに記載の練習具。
【請求項５】
前記ブラケットは、前記基板にこれに沿って前記第２方向へ摺動かつ抜脱可能に嵌合する請求項１〜４のいずれかに記載の練習具。
【請求項６】
前記ブラケットは、弾性材から形成され、前記ブラケットの下部から前記第１方向への張出部に前記第２方向へ前記基板が摺動可能に挿通するチャンネルを有する請求項１〜５のいずれかに記載の練習具。
【請求項７】
前記第１及び第２支持部材それぞれは、それらの下面が平滑である請求項１〜６のいずれかに記載の練習具。
【請求項８】
前記第１及び第２間隔規制部材の間隔を調整する機構は、前記第２方向における前記基板の両端部近傍に同方向へ間欠的に設けられた複数の第１係止部と、前記ブラケットの前記張出部から前記第２方向へ延びる弾性片に設けられその弾性押圧によって前記複数の第１係止部に選択的に係合する第２係止部とを含む請求項１〜７のいずれかに記載の練習具。
【請求項９】
前記第１及び第２帯状部材は、連結部材を介して前記基板に離脱可能に連結される請求項１〜８のいずれかに記載の練習具。
【請求項１０】
前記第１及び第２間隔規制部材それぞれは、前記第１方向におけるそれらの長さが８００〜１，０００ｍｍである請求項１〜９のいずれかに記載の練習具。
【請求項１１】
前記第１及び第２間隔規制部材の間隔は、１４０〜２００ｍｍである請求項１〜１０のいずれかに記載の練習具。
【請求項１２】
前記第１及び第２間隔規制部材は、その高さがゴルフボールの直径の１．０〜２．０倍である請求項１〜１１のいずれかに記載の練習具。
【発明の詳細な説明】
【技術分野】
【０００１】
この発明は、ゴルフスウィング矯正練習具に関するものである。
【背景技術】
【０００２】
ゴルフにおいてクラブを正確にスウィングすることは基本的必要条件である。スウィングで最も重要なことは、インパクトゾーンを正確に作ることであり、基本的にターゲットに対して直線的にクラブヘッドが動き、クラブヘッドのフェースは目標ラインにスクエアであることである。
【０００３】
従来、そうしたスウィング感覚を養うため、図５の公知例として示すように、地面（又は床面）に２本の傘を平行に配置し、２本の傘の間の中央部にゴルフボールをセットし、２本の傘の一方の側のほぼ中央部にスタンスをとり、ウッドやアイアンでスウィングしてゴルフボールを打つ練習をすることがあった。こうした練習では、クラブヘッドが２本の傘のいずれかに触れると、２本の傘の平行配置が乱れるため、クラブヘッドの軌道が目標ライン上に沿って直線的になっていなかったこと、すなわち、スウィングが、インサイド・アウト、アウトサイド・インのいずれかの軌道であったか、はたまたカットショットであったかを不充分ながらも認識することができる。
【０００４】
また、特許文献１に開示されたものは、パターストローク矯正練習器である。この練習器は、底板を有しこの底板の両側に平行に相対向して一対のガイド壁を設け、底板の一端縁のほぼ中央位置にゴルフボール位置決め凹部を形成したパターガイド本体と、一対のガイド壁の間に挿入して一対のガイドの少なくとも一方を転動できるガイドローラ付きのパターと、パターガイド本体が床面に置かれた状態でパターガイド本体が移動するのを規制する動き止め手段とから構成されている。この練習器では、パターをパターガイド本体内に沿って移動して、ゴルフボール位置決め凹部に置かれたボールをヒットするものであるところ、パターがガイド壁に平行に移動すればパターがストローク中にガイド壁を押すことによる抵抗感や違和感なくゴルフボールを正確にヒットすることができるが、パターストロークがガイド壁に平行でなければガイド壁を押すため抵抗感や違和感が手に伝わり、自己のパターストロークの悪さ加減を自覚することができる、というものである。
【特許文献１】登録実用新案第３０７６８９６号公報
【発明の開示】
【発明が解決しようとする課題】
【０００５】
前記公知例によれば、スウィング時にクラブヘッドが傘に衝接すると、妄りに配置が完全に崩れ、場合によってはインパクト・パワーで傘を損傷したり、その都度、平行に配置し直すことが煩瑣であったりするばかでなく、多少でも崩れた状態でスウィング練習すると、インパクトゾーンを正確に作ることができなかったり、正確なスウィングを自覚することができなかったりし、練習効果が得られない。
【０００６】
特許文献１によれば、それはパターストローク矯正練習器であるから、パターによる以外の、アイアンやドライバーを用いてのスウィング練習やウエッジを用いてのアプローチ練習などができない。
【０００７】
この発明は、以上のような問題を解決しようとするものである。
【０００８】
そのための、この発明の目的は、オンプレーンスウィング作り、フェースコントロール能力、直線的なインパクトゾーン作り、というゴルフに必要な技倆レベルを高めることができるゴルフスウィング矯正練習具を提供することにある。
【０００９】
この発明の他の目的は、組み立て状態では比較的嵩張るところ、出荷や携行時には分解して袋などにコンパクトに収納することができるゴルフスウィング矯正練習具を提供することにある。
【００１０】
さらに、その他の目的は、この発明の詳細な説明から明らかになる。
【課題を解決するための手段】
【００１１】
この発明は、第１方向と、これに直交する第２方向とを有するゴルフスウィング矯正練習具であって、
前記第１方向へ長い枠体と、前記第１方向へ直線的に延びる目標ラインを形成する一対の第１及び第２帯状部材とを備え、
前記枠体は、前記第１方向へ互いに平行に離間しその離間が調整可能に配置される一対の第１及び第２間隔規制部材と、前記第２方向へ互いに平行に離間して配置され、前記第１及び第２間隔規制部材を支持し、前記第１及び第２間隔規制部材の間隔を調整する機構を有する一対の第１及び第２支持部材とを含み、
前記第１及び第２支持部材は、基板と、前記第２方向における前記基板の両端部において上方へ突出し前記基板に沿って摺動かつ抜脱可能に嵌合するブラケットとから構成され、前記ブラケットの内側には、前記第１方向における前記第１及び第２支持部材の両端部に対する連結部を有し、
前記第１及び第２帯状部材は、前記第２方向における前記基板の中央部に連結部を介して前記基板に離脱可能に連結され、前記基板の前記中央部からから該基板の外側かつ前記第１方向へ直線的に延びることを特徴とする前記練習具にある。
【００１２】
この発明は、好ましい主たる下記の実施の形態を含む。
【００１３】
前記第１及び第２間隔規制部材は、硬質芯材と、これを被覆する弾性緩衝材とから構成されている態様。
【００１４】
前記第１及び第２間隔規制部材それぞれは、それらの断面が円形である態様。
【００１６】
前記連結部は突起であり、一方、前記第１方向における前記第１及び第２間隔規制部材の少なくとも両端に中空部を有し該中空部が前記連結部に抜脱可能に嵌合する態様。
【００１７】
前記ブラケットは、前記基板にこれに沿って前記第２方向へ摺動かつ抜脱可能に嵌合する態様。
【００１８】
前記ブラケットは、弾性材から形成され、前記ブラケットの下部から前記第１方向への張出部に前記第２方向へ前記基板が摺動可能に挿通するチャンネルを有する態様。
【００１９】
前記第１及び第２支持部材それぞれは、それらの下面が平滑である態様。
【００２０】
前記第１及び第２間隔規制部材の間隔を調整する機構は、前記第２方向における前記基板の両端部近傍に同方向へ間欠的に設けられた複数の第１係止部と、前記ブラケットの前記張出部から前記第２方向へ延びる弾性片に設けられその弾性押圧によって前記複数の第１係止部に選択的に係合する第２係止部とを含む態様。
【００２１】
前記第１及び第２帯状部材は、連結部材を介して前記基板に離脱可能に連結される態様。
【発明の効果】
【００２２】
この発明に係るゴルフスウィング矯正練習具によれば、クラブヘッドが目標ラインを形成する一対の第１及び第２帯状部材の間を結び一対の第１及び第２間隔規制部材の中央部に位置する仮想直線上を通るようにスウィング練習するものである。その際、プレイヤーのスタンス側に位置する第１及び第２間隔規制部材の少なくとも一つにゴルフボールが衝接すると、プレイヤーはスウィングの軌道がインサイド・アウト、アウトサイド・インのいずれか、はたまたカットショットであったかを認識し、クラブヘッドが目標ライン上を直線的に通るようにスウィングを矯正練習することができる。したがって、オンプレーンスウィング作り、フェースコントロール能力、直線的なインパクトゾーン作り、というゴルフに必要な技倆レベルを高める、という所期の目的を達成することができる。
【００２３】
プレイヤーが初心者である場合には、一対の第１及び第２間隔規制部材の間隔を最大に調整し、正確なスウィングの技倆レベルの向上につれてその間隔を段階的に小にし、効率的にスウィング練習をすることができる。
【００２４】
第１及び第２間隔規制部材が弾性緩衝材で被覆されている態様では、不正確なスウィングでクラブヘッドがそれら部材に衝接した場合、クラブヘッドばかりでなく、それら部材を含む枠体の損傷をも未然に防止することができる。
【００２５】
第１及び第２間隔規制部材それぞれと第１及び第２支持部材それぞれ、第１及び第２支持部材それぞれ自体、及び第１及び第２支持部材それぞれと第１及び第２帯状部材それぞれ、が互いに分離可能な態様では、練習具の出荷や携行時には分解して袋などにコンパクトに収納することができる。
【００２６】
第１及び第２支持部材それぞれの下面が平滑である態様では、不正確なスウィングにより、クラブヘッドが第１及び／又は第２間隔規制部材の側面にかなり強いインパクトを加えた場合、練習具自体が地面（又は床面）を摺動することになる。したがって、プレイヤーはスウィングがいかに不正確であったかを認識することができ、かつ、弾性緩衝材で被覆されている態様と相まって、クラブヘッドばかりでなく、枠体の損傷をも未然に防止することができる。
【発明を実施するための最良の形態】
【００２７】
この発明に係るゴルフスウィング矯正練習具の組み立て状態を示す図１において、この練習具は、第１方向Ｙと、これに直交する第２方向Ｘとを有し、第１方向Ｙへ長い枠体１０と、第１方向Ｙへ直線的に延びる目標ラインを形成する一対の第１及び第２帯状部材１１ａ，１１ｂとを備える。
【００２８】
枠体１０は、第１方向Ｙへ長く、第１方向Ｙの両端部が対称形を有し、第１方向Ｙへ互いに平行に離間して配置される一対の第１及び第２間隔規制部材１２ａ，１２ｂと、第１及び第２間隔規制部材１２ａ，１２ｂよりも長さ寸法が小さくて第２方向Ｘへ互いに平行に離間して配置され、第１及び第２間隔規制部材１２ａ，１２ｂを支持し、第１及び第２間隔規制部材１２ａ，１２ｂの間隔Ｓを調整する後記機構Ｍを有する一対の第１及び第２支持部材１３ａ，１３ｂとから構成される。
【００２９】
第１及び第２帯状部材１１ａ，１１ｂそれぞれは、第１方向Ｙにおける枠体１０の両端部の中央部から該両端部の外側かつ第１方向Ｙへ直線的に延びる。
【００３０】
第１方向Ｙにおける枠体１０の一端部及び該一端部における帯状部材１１ｂの分解図を示す図２において、第１及び第２間隔規制部材１２ａ，１２ｂは、金属などの硬質材からなるパイプである硬質芯材１４と、これを被覆するスポンジゴムなどの弾性材からなる弾性緩衝材１５と、オプションとして、それを被覆するプラスチックスである軟質表面材１６とから構成される（図３参照）。
【００３１】
第１及び第２支持部材１３ａ，１３ｂは、第２方向Ｘにおけるそれらの両端部において対称をなし、図２ではその一方１３ｂを示し、金属である帯状の硬質基板１７と、第２方向Ｘにおけるその両端部近傍に位置する一対のブラケット１８とから構成される。基板１７は、その上下面が平滑であり、第２方向Ｘにおける両端部近傍に同方向へ間欠的に孔である複数の第１係止部１９が形成される。ブラケット１８は、ゴムなどの弾性材からなり、その内側の上部近傍に第１方向Ｙへ突出し、第１及び第２間隔規制部材１２ａ，１２ｂを構成するパイプである硬質芯材１４の、第１方向Ｙの両端部１４ａに挿入し、ビス３８で固定される突起２４と、その下面から第１方向Ｙへの張出部２０と、張出部２０を第２方向Ｘへ挿通するチャンネル２１と、チャンネル２１の上部に互いに離間するスリット２２で画成され第２方向Ｘの外側へ延びる弾性係止片２３とを有する。チャンネル２１には基板１７が第２方向Ｘへ摺動可能に嵌合する。
【００３２】
第１及び第２間隔規制部材１２ａ，１２ｂと第１及び第２支持部材１３ａ，１３ｂとの分解斜視図を示す図４において、弾性係止片２３の自由部には、ブラケット１８の基板１７に対する摺動にともない、弾性係止片２３の弾性圧によって複数の第１係止部１９に選択的に係合する金属材からなる硬質の第２係止部２５が固定される。第１及び第２係止部１９，２５とは、第１及び第２間隔規制部材１２ａ，１２ｂの間隔Ｓを調整する機構Ｍを構成する。
【００３３】
実施の形態においては、第１係止部１９と第２係止部２５とが係合する位置は、最内側部と、最外側部と、それらの中間部とに、それらの３段階に間隔Ｓを調整可能である。間隔Ｓは、最内側部に位置させると最小になり、最外側部に位置させると最大になり、中間部に位置させるとそれら最大と最小との中間になる。スウィング練習において、初心者は、最大の間隔から始め、スウィングの上達につれて中間の間隔、ついで最小の間隔を設定することが好ましい。
【００３４】
再び、図２において、第１及び第２帯状部材１２ａ，１２ｂは、弾性プラスチックス材からなる連結部材２６の中央部下面に形成される溝２７に該部材の一端部が挿入し、ビス２８で固定される。連結部材２６は、溝２７の内側に該部材の上面に連なって第１方向Ｙへ突出する一対の部分２９の先端部下面に位置する屈曲部３０と、中央仕切部３１と、一対の部分２９の間に位置する弾性係止片３５とを有し、それらの間に溝３２が形成される。弾性係止片３５は、その自由端の上面に基板１７の中央部に位置する係合孔３３と係合する隆起３４を有する。
【００３５】
再び、図１において、第１及び第２間隔規制部材１２ａ，１２ｂは、相対的にそれらの間隔Ｓが調整機構Ｍを介して調整可能であるところ、その間隔Ｓは１４０〜２００ｍｍであり、長さＬは８００〜１，０００ｍｍであり、それら部材の高さＨはゴルフボールの直径の１．０〜２．０倍であることが好ましい。長さＬが、８００ｍｍ未満であると、クラブヘッドがその部材の頂面に衝接し、１，０００ｍｍを超すと、不必要に長くなり、経済的及び携行に不利である。間隔Ｓが、１４０ｍｍ未満であると、ドライバーを用いてのスウィング練習には狭すぎ、２００ｍｍを超すと、広すぎてこの発明の所期の目的のためのスウィング練習に効果が奏しない。高さＨが、１．０倍未満であると、スウィングの軌道がインサイド・アウト、アウトサイド・インのいずれか、はたまたカットショットであったかを認識し難くなり、２．０倍超であると、正確なスウィングをしても、クラブヘッドが第１及び第２間隔規制部材１２ａ，１２ｂのいずれかに衝接する場合が多くなる。
【００３６】
第１方向Ｙにおける第１及び第２間隔規制部材１２ａ，１２ｂの中心部の少なくとも一方には、第１目印４０と、その第１支持部材１３ａ寄りに第２目印４１とが設けられる。プレイヤーは、第１目印４０を基準にスタンスをとり、アイアンを用いてのスウィング練習の場合には、第１目印４０の位置にボルフボール４２をセットし、ドライバーを用いてのスウィング練習の場合には、第２目印４１の位置にゴルフボール４２をセットすることが好ましい。
【００３７】
ちなみに、この発明に係るゴルフスウィング矯正練習具は、以上の構成を有するから、アイアンやドライバーを用いてのスウィング練習をすることができ、また、ウエッジを用いてのアプローチの練習もすることができる。
【図面の簡単な説明】
【００３８】
【図１】この発明に係るゴルフスウィング矯正練習具の組み立て斜視図。
【図２】第１方向における枠体の一端部及び該一端部における帯状部材の分解図。
【図３】図１における３−３線に沿う断面図。
【図４】間隔規制部材と支持部材の分解斜視図。
【図５】公知例の斜視図。
【符号の説明】
【００３９】
１０  枠体
１１ａ，１１ｂ  第１及び第２帯状部材
１２ａ，１２ｂ  第１及び第２間隔規制部材
１３ａ，１３ｂ  第１及び第２支持部材
１４  芯材
１５  緩衝材
１７  基板
１８  ブラケット
１９  第１係止部
２４  突起
２１  チャンネル
２３  係止片
２５  第２係止部
２６  連結部材
Ｍ  間隔調整機構
【図１】
0004524260.tif 000002
【図２】
0004524260.tif 000003
【図３】
0004524260.tif 000004
【図４】
0004524260.tif 000005
【図５】
0004524260.tif 000006